(57)【要約】【課題】全体のサイズをコンパクトにできる凹版印刷機を提供する。【解決手段】枚葉紙１００を保持する圧胴３１と、圧胴３１の下方側に対接して圧胴３１との間で枚葉紙１００に印刷を行う凹版胴３２と、凹版胴３２にインキを供給するインキ供給装置３５ａ〜３５ｃ等と、、圧胴３１の上方側に対接する紙取胴４１と、紙取胴４１に同軸をなして設けられたスプロケット４２と、インキ供給装置３５ａの上方に配設されてスプロケット４２と異なる他のスプロケット４３と、スプロケット４２，４３間に巻き掛けられたチェーン４４と、チェーン４４に設けられた爪竿４５と、スプロケット４２，４３間の下方に位置するようにインキ供給装置３５ａの上方に配設されて印刷された枚葉紙１００を積み重ねる紙積台４７等とを備える。【選択図】図１
2010179659.tif 000002
【特許請求の範囲】
【請求項１】
シート状物を保持する圧胴と、
前記圧胴の下方側に対接し、当該圧胴との間で前記シート状物に印刷を行う凹版胴と、
前記凹版胴にインキを供給するインキ供給手段と、
印刷された前記シート状物を積み重ねる集積手段と、
前記圧胴から前記集積手段へ前記シート状物を搬送する搬送手段と
を備えた凹版印刷機において、
前記搬送手段が、
前記圧胴の上方側に対接する紙取胴と、
前記紙取胴に同軸をなして設けられたスプロケットと、
前記インキ供給手段の上方に配設されて前記スプロケットと異なる他のスプロケットと、
前記スプロケットと前記他のスプロケットとの間に巻き掛けられたチェーンと、
前記チェーンに設けられた爪竿と
を備え、
前記集積手段が、前記スプロケットと前記他のスプロケットとの間の下方に位置するように前記インキ供給手段の上方に配設されている
ことを特徴とする凹版印刷機。
【請求項２】
請求項１に記載の凹版印刷機において、
前記圧胴の前記凹版胴よりも回転方向上流側と前記紙取胴よりも回転方向下流側との間で当該圧胴に対接して当該圧胴に前記シート状物を受け渡す渡胴を備え、
前記渡胴の中心と前記圧胴の中心とを結ぶ線と、前記紙取胴の中心と前記圧胴の中心とを結ぶ線との間の角度が１８０°未満である
ことを特徴とする凹版印刷機。
【請求項３】
請求項２に記載の凹版印刷機において、
前記渡胴が、前記圧胴の胴抜きにリンクして胴抜きできるものである
ことを特徴とする凹版印刷機。
【発明の詳細な説明】
【技術分野】
【０００１】
本発明は、凹版印刷機に関する。
【背景技術】
【０００２】
従来の凹版印刷機の概略構成を図２に示す。
【０００３】
図２に示すように、積み重ねられたシート状物としての枚葉紙を一枚ずつ送給する給紙装置１１０には、給紙テーブル１２１の基端側が連結されている。給紙テーブル１２１の先端側には、渡胴１２３に設けられた図示しないくわえ爪装置に枚葉紙を受け渡すスウィング装置１２２が設けられている。この渡胴１２３は、図示しないくわえ爪装置を有する渡胴１２４に対接しており、保持した枚葉紙を当該渡胴１２４の上記くわえ爪装置に受け渡すようになっている。
【０００４】
前記渡胴１２４は、図示しないくわえ爪装置を有する圧胴１３１に対接しており、保持した枚葉紙を当該圧胴１３１の上記くわえ爪装置に受け渡すようになっている。圧胴１３１の上記渡胴１２４よりも回転方向下流側には、凹版胴１３２が対接している。凹版胴１３２の上記圧胴１３１よりも回転方向下流側には、シャブロン胴１３４ａ〜１３４ｃが当該凹版胴１３２の周方向に沿って所定の間隔でそれぞれ対接している。これらシャブロン胴１３４ａ〜１３４ｃには、インキ供給装置１３５ａ〜１３５ｃがそれぞれ設けられている。
【０００５】
前記凹版胴１３２の上記シャブロン胴１３４ｃよりも回転方向下流側には、ワイピングローラ１３６が対接している。このワイピングローラ１３６は、内部にワイピング液を入れたワイピングタンク１３７内にその下方側が浸漬している。
【０００６】
前記圧胴１３１の上記凹版胴１３２よりも回転方向下流側には、回転可能に設けられたスプロケットより構成された紙取胴１４１が対接している。このスプロケットには、図示しないチェーンガイドやスプロケット等に張架されたエンドレス式のチェーン１４４が巻き掛けられている。このチェーン１４４には、前記圧胴１３１の前記くわえ爪装置に保持されている枚葉紙を受け取る図示しない爪竿が当該チェーン１４４の走行方向に沿って所定の間隔で複数取り付けられている。チェーン１４４の下方には、集積手段である複数の排紙装置１５０が設けられている。
【０００７】
このような凹版印刷機において、給紙装置１１０から給紙テーブル１２１上に枚葉紙を給紙すると、当該枚葉紙は、スウィング装置１２２により渡胴１２３に受け渡され、渡胴１２４を介して圧胴１３１に受け渡される。一方、インキ供給装置１３５ａ〜１３５ｃからシャブロン胴１３４ａ〜１３４ｃを介して凹版胴１３２にインキを供給すると、当該インキは、ワイピングローラ１３６で余計な分が取り除かれた後、圧胴１３１に保持された上記枚葉紙に転写される。印刷された枚葉紙は、圧胴１３１から紙取胴１４１に受け渡された後、前記爪竿にくわえ替えされ、前記スプロケットの回転によるチェーン１４４の走行に伴って搬送されて排紙装置１５０上に排紙される。
【先行技術文献】
【特許文献】
【０００８】
【特許文献１】特開平３−０３８３４７号公報
【特許文献２】特開平１１−１８８８５２号公報
【特許文献３】特開平３−１４６３４４号公報
【発明の概要】
【発明が解決しようとする課題】
【０００９】
前述したような従来の凹版印刷機においては、シャブロン胴１３４ａ〜１３４ｃやインキ供給装置１３５ａ〜１３５ｃの保守点検作業の容易化のため、当該インキ供給装置１３５ａ〜１３５ｃをシャブロン胴１３４ａ〜１３４ｃから離反させて当該シャブロン胴１３４ａ〜１３４ｃと当該インキ供給装置１３５ａ〜１３５ｃとの間に作業スペースを確保できるように当該インキ供給装置１３５ａ〜１３５ｃを進退移動させることができるようになっている。このため、インキ供給装置１３５ａ〜１３５ｃを退避させる退避スペースを印刷部と排紙部との間に設けなければならず、当該間の距離が非常に長くなってしまい、全体のサイズが非常に大きなものとなっていた。
【００１０】
このようなことから、本発明は、全体のサイズをコンパクトにすることができる凹版印刷機を提供することを目的とした。
【課題を解決するための手段】
【００１１】
前述した課題を解決するための、本発明による凹版印刷機は、シート状物を保持する圧胴と、前記圧胴の下方側に対接し、当該圧胴との間で前記シート状物に印刷を行う凹版胴と、前記凹版胴にインキを供給するインキ供給手段と、印刷された前記シート状物を積み重ねる集積手段と、前記圧胴から前記集積手段へ前記シート状物を搬送する搬送手段とを備えた凹版印刷機において、前記搬送手段が、前記圧胴の上方側に対接する紙取胴と、前記紙取胴に同軸をなして設けられたスプロケットと、前記インキ供給手段の上方に配設されて前記スプロケットと異なる他のスプロケットと、前記スプロケットと前記他のスプロケットとの間に巻き掛けられたチェーンと、前記チェーンに設けられた爪竿とを備え、前記集積手段が、前記スプロケットと前記他のスプロケットとの間の下方に位置するように前記インキ供給手段の上方に配設されていることを特徴とする。
【００１２】
また、本発明による凹版印刷機は、上述した凹版印刷機において、前記圧胴の前記凹版胴よりも回転方向上流側と前記紙取胴よりも回転方向下流側との間で当該圧胴に対接して当該圧胴に前記シート状物を受け渡す渡胴を備え、前記渡胴の中心と前記圧胴の中心とを結ぶ線と、前記紙取胴の中心と前記圧胴の中心とを結ぶ線との間の角度が１８０°未満であることを特徴とする。
【００１３】
また、本発明による凹版印刷機は、上述した凹版印刷機において、前記渡胴が、前記圧胴の胴抜きにリンクして胴抜きできるものであることを特徴とする。
【発明の効果】
【００１４】
本発明の凹版印刷機によれば、集積手段をインキ供給手段の上方に配設したので、給紙部から排紙部までの全体の長さを給紙部と印刷部とを合わせた長さと略同一にすることができ、全体のサイズをコンパクトにすることができる。
【図面の簡単な説明】
【００１５】
【図１】本発明による凹版印刷機の実施の形態の全体概略構成図である。
【図２】従来の凹版印刷機の全体概略構成図である。
【発明を実施するための形態】
【００１６】
本発明による凹版印刷機の実施の形態を図１を用いて説明する。なお、図１は、凹版印刷機の全体概略構成図である。
【００１７】
図１に示すように、積み重ねられたシート状物である枚葉紙１００を一枚ずつ送給する給紙装置１０には、給紙テーブル２１の基端側が連結されている。給紙テーブル２１の先端側には、渡胴２３に設けられた図示しないくわえ爪装置に枚葉紙１００を受け渡すスウィング装置２２が設けられている。この渡胴２３は、図示しないくわえ爪装置を有する渡胴２４に対接しており、保持した枚葉紙１００を当該渡胴２４の上記くわえ爪装置に受け渡すようになっている。この渡胴２４は、図示しないくわえ爪装置を有する渡胴２５に対接しており、保持した枚葉紙１００を当該渡胴２５の上記くわえ爪装置に受け渡すようになっている。
【００１８】
前記渡胴２５は、図示しないくわえ爪装置を有する第一の胴である三倍胴の圧胴３１の上部寄りに対接しており、保持した枚葉紙を当該圧胴３１の上記くわえ爪装置に受け渡すようになっている。圧胴３１の上記渡胴２５よりも回転方向下流側となる下方側には、第二の胴である三倍胴の凹版胴３２が対接している。凹版胴３２の上記圧胴３１よりも回転方向下流側の側方には、インキ集合胴３３が対接している。インキ集合胴３３の上記凹版胴３２よりも回転方向下流側の側方には、シャブロン胴３４ａ〜３４ｃが当該インキ集合胴３３の周方向に沿って所定の間隔でそれぞれ対接している。これらシャブロン胴３４ａ〜３４ｃの上記インキ集合胴３３よりも回転方向下流側の側方には、インキ供給装置３５ａ〜３５ｃがそれぞれ設けられている。
【００１９】
このようなインキ集合胴３３、シャブロン胴３４ａ〜３４ｃ、インキ供給装置３５ａ〜３５ｃなどにより、本実施の形態ではインキ供給手段を構成している。
【００２０】
前記凹版胴３２の上記インキ集合胴３３よりも回転方向下流側となる下方側には、ワイピングローラ３６が対接している。このワイピングローラ３６は、内部にワイピング液を入れたワイピングタンク３７内にその下方側が浸漬している。
【００２１】
前記圧胴３１の上記凹版胴３２よりも回転方向下流側となる上方側には、紙取胴４１が対接している。この紙取胴４１には、スプロケット４２が同軸をなして一体的に回転できるように設けられている。前記インキ供給装置３５ａの上方には、スプロケット４３が配設されている。上記スプロケット４２，４３間には、エンドレス式のチェーン４４が巻き掛けられている。このチェーン４４には、圧胴３１の前記くわえ爪装置に保持された枚葉紙１００を受け取る爪竿４５が当該チェーン４４の走行方向に沿って所定の間隔で複数取り付けられている。
【００２２】
このような紙取胴４１、スプロケット４２，４３、チェーン４４、爪竿４５などにより、本実施の形態では搬送手段を構成している。
【００２３】
前記インキ集合胴３３、シャブロン胴３４ａ〜３４ｃ、インキ供給装置３５ａ〜３５ｃなどのインキ供給手段の上方には、チェーン４６を介して昇降可能に支持された紙積台４７が前記スプロケット４２，４３の間の下方に位置するようにして複数配設されている。なお、図１中、４８は搬送中の枚葉紙１００の速度を減速する吸引車、４９はファン、５０は起伏可能なガイドプレートであり、本実施の形態では、チェーン４６、紙積台４７、吸引車４８、ファン４９、ガイドプレート５０などにより集積手段を構成している。
【００２４】
このような凹版印刷機において、給紙装置１０から給紙テーブル２１上に枚葉紙１００を給紙すると、当該枚葉紙１００は、スウィング装置２２により渡胴２３に受け渡され、渡胴２４，２５を介して圧胴３１に受け渡される。一方、インキ供給装置３５ａ〜３５ｃからシャブロン胴３４ａ〜３４ｃおよびインキ集合胴３３を介して凹版胴３２にインキを供給すると、当該インキは、ワイピングローラ３６で余計な分が取り除かれた後、圧胴３１に保持された上記枚葉紙１００に転写される。印刷された枚葉紙１００は、圧胴３１から紙取胴４１に受け渡された後、爪竿４５にくわえ替えされ、スプロケット４２，４３の回転によるチェーン４４の走行に伴って前記インキ供給部の上方に搬送される。
【００２５】
上記枚葉紙１００は、選択された紙積台４７用の吸引車４８でくわえ尻を吸着されて減速し、爪竿４５のくわえ爪から開放された先端側をガイドプレート５０で位置決めされながら、ファン４９からの下降気流で落下することにより、選択した紙積台４７上に整えられて積み重ねられる。
【００２６】
つまり、紙積台４７を前記インキ供給手段の上方に配設して枚葉紙１００を当該インキ供給手段の上方で積み重ねるようにしたのである。
【００２７】
このため、給紙部から排紙部までの全体の長さを給紙部と印刷部とを合わせた長さと略同一にすることができる。
【００２８】
したがって、シャブロン胴３４ａ〜３４ｃやインキ供給装置３５ａ〜３５ｃの保守点検等を行うために当該インキ供給装置３５ａ〜３５ｃをシャブロン胴３４ａ〜３４ｃから離反させて当該シャブロン胴３４ａ〜３４ｃと当該インキ供給装置３５ａ〜３５ｃとの間に作業スペースを確保するような場合であっても、全体のサイズをコンパクトにすることができる。
【００２９】
また、渡胴２５を圧胴３１の上方側で対接させるようにしたので、凹版胴３２やワイピングローラ３６等の周辺スペースを広くすることができ、凹版胴３２やワイピングローラ３６等の保守点検等に係る作業性を向上させることができる。
【００３０】
ここで、圧胴３１と対接する渡胴２５の中心と当該圧胴３１の中心とを結ぶ線と、紙取胴４１の中心と圧胴３１の中心とを結ぶ線との間の角度が１８０°未満であるので、例えば、印刷不良等の発生により、圧胴３１を版胴３２から離反（胴抜き）させて復旧作業をしようとする場合、上記渡胴２５が障害となって圧胴３１を胴抜きできなくなるため、圧胴３１の胴抜きにリンクさせて渡胴２５も胴抜きできるようにするとよい（この機構については、例えば、特許第２５９１６６８号公報等を参照。）。
【００３１】
なお、本実施の形態では、インキ供給装置３５ａ〜３５ｃからのインキをシャブロン胴３４ａ〜３４ｃおよびインキ集合胴３３を介して凹版胴３２に供給するようにしたが、インキ集合胴３３を省き、インキ供給装置３５ａ〜３５ｃからのインキをシャブロン胴３４ａ〜３４ｃから凹版胴３２に直接供給することも可能である。
【００３２】
また、本実施の形態では、複数の紙積台４７を用いたが、印刷する枚葉紙１００の枚数等によっては紙積台を単数にしてもよい。
【符号の説明】
【００３３】
１０  給紙装置
２１  給紙テーブル
２２  スウィング装置
２３〜２５  渡胴
３１  圧胴
３２  凹版胴
３３  インキ集合胴
３４ａ〜３４ｃ  シャブロン胴
３５ａ〜３５ｃ  インキ供給装置
３６  ワイピングローラ
３７  ワイピングタンク
４１  紙取胴
４２，４３  スプロケット
４４  チェーン
４５  爪竿
４６  チェーン
４７  紙積台
４８  吸引車
４９  ファン
５０  ガイドプレート
１００  枚葉紙
【図１】
2010179659.tif 000003
【図２】
2010179659.tif 000004